(57)【要約】【課題】下着感覚で着用でき、安心して外出ができる使い捨て紙おむつを提供すること。【解決手段】表面側を覆う透液性のトップシートと、裏面側を覆う不透液性のバックシートと、前記各シート間に配置された吸収体とから成る使い捨て紙おむつにおいて、前記紙おむつの腰周り部及び脚周り部を含む複数の部位に弾性伸縮部材が設けられ、かつ、前記バックシートの少なくとも前記腰周り部及び／又は前記脚周り部の前記弾性伸縮部材により締め付けられる部分に、外部から認識できるカラーデザインが印刷されている。【選択図】図５
2008188445.tif 000002
【特許請求の範囲】
【請求項１】
表面側を覆う透液性のトップシートと、裏面側を覆う不透液性のバックシートと、前記各シート間に配置された吸収体とから成る使い捨て紙おむつにおいて、前記紙おむつには腰周り部及び脚周り部を含む複数の部位に弾性伸縮部材が設けられ、かつ前記バックシートの少なくとも前記腰周り部及び／又は前記脚周り部の前記弾性伸縮部材により締め付けられる部分に、外部から認識できるカラーデザインが印刷されていることを特徴とするカラーデザインを有する使い捨て紙おむつ。
【請求項２】
前記カラーデザインは、前記腰周り部及び／又は脚周り部の弾性伸縮部材により締め付けられる部分に複数配置され、かつシャーリングの周方向に沿って連続的に印刷されている線状のデザインを含むことを特徴とする請求項１に記載のカラーデザインを有する使い捨て紙おむつ。
【請求項３】
前記カラーデザインは、前記バックシートに対して市松模様又は格子状模様が形成されたデザインを含むことを特徴とする請求項１に記載のカラーデザインを有する使い捨て紙おむつ。
【請求項４】
前記カラーデザインは、前記バックシートに対して単一模様が格子状に点在分散して配置されたデザインを含むことを特徴とする請求項１に記載のカラーデザインを有する使い捨て紙おむつ。
【請求項５】
前記カラーデザインは、前記バックシートの裏面側全域に外部から認識できるように印刷され、かつ前記腰周り部及び／又は脚周り部の弾性伸縮部材により締め付けられる部分に対し模様が密となるように配置されたことを特徴とする請求項１ないし請求項４のいずれかに記載のカラーデザインを有する使い捨て紙おむつ。
【請求項６】
前記カラーデザインは、前記バックシートの被印刷面に対する着色印刷面の比率が２０パーセント以上に設定されていることを特徴とする請求項１ないし請求項５のいずれかに記載のカラーデザインを有する使い捨て紙おむつ。
【請求項７】
前記カラーデザインは、前記バックシートの被印刷面に対する着色印刷面の比率が５０パーセントに設定されていることを特徴とする請求項６に記載のカラーデザインを有する使い捨て紙おむつ紙おむつ。
【請求項８】
前記カラーデザインは、紙おむつ本体の両側部において該紙おむつの略全長に亘って表面側に突出するように形成された立体ギャザーにも印刷されていることを特徴とする請求項１ないし請求項７のいずれかに記載のカラーデザインを有する使い捨て紙おむつ。
【発明の詳細な説明】
【技術分野】
【０００１】
本発明は、使い捨ての紙おむつに関し、さらに詳細には、表面側を覆う透液性のトップシートと、裏面側を覆う不透液性のバックシートと、前記各シート間に配置された吸収体とから成る使い捨て紙おむつにおいて、外部から認識できるカラーデザイン印刷を施すことにより下着感覚を持たせた使い捨ての紙おむつに関する。
【背景技術】
【０００２】
従来、市場に提供されている使い捨て紙おむつの基本的な構成は、透液性のトップシートと、不透液性のバックシートと、これらのシート間に配置された吸収体とから成っており、着用時に排泄された尿等の排泄物を透液性のトップシートを介して主に吸収体で保持し、不透液性のバックシートにより排泄物が紙おむつの外側に漏れ出すことを防止するものとして乳幼児や要介護者等に用いられている。なお、このような使い捨ての紙おむつは、その用途に応じて、上述した基本構成本体に対し、腰周りや脚周り等の弾性伸縮部材、ギャザー部材、サイドフラップ、あるいは本体バックシート等が付加され、また型式としてはテープ等の固定具でおむつ本体を腰部に固定するものと、予めパンツ型に形成されたものが一般に知られている。
【０００３】
ところで、上述した従来の使い捨て紙おむつの中には、着用に際しての前後の区別、あるいはサイズ等を表示する目的で、着用時に外部から認識できる種々の模様や文字等をバックシートにより構成される前身頃や後身頃の一部に印刷したものがある。とくに乳幼児向けのパンツ型使い捨て紙おむつでは、動物や乗り物、あるいはキャラクター等の乳幼児が好む図柄模様を印刷したものが知られている。図８はその一例を示すもので、このパンツ型の使い捨て紙おむつ１００は、脚周り開口部１０１、腰周り開口部１０２を有し、左右の前記脚周り開口部間に延びて形成された前身頃１０３と後身頃１０４はサイドシーム１０５により接着閉鎖されてパンツ型に形成され、無地の前身頃１０３の表面の一部には動物（象）の顔をかたどった図柄（デザイン）１０６がピンクやグリーン等のカラーで印刷されているものである。なお図において、１０７、１０８はゴム紐等からなる弾性伸縮部材、１０９はシャーリング部、１１０は内部に装着された吸収体である。
【０００４】
本発明者によれば、このような従来の使い捨て紙おむつにおけるデザインは、お腹部分（前身頃）や背中部分（後身頃）の一部に位置する防水フィルムへの印刷が主流であって、この印刷による着色部分が占める全面積は、殆どの場合、前身頃１０３と後身頃１０４とを合わせた面、すなわち被印刷面であるバックシートの全面積に対し２０パーセント未満であることが確認されている。
【発明の開示】
【発明が解決しようとする課題】
【０００５】
しかしながら、このように部分的にデザインされた使い捨ての紙おむつ１００では、シャーリング部１０９や脚周り開口部１０１に装着された弾性伸縮部材１０７、１０８、具体的にはゴム紐が外部から見え、また、吸収体１１０の外形が表面にくっきりと現れて見えるために、このままでは使い捨ての紙おむつ１００を着用していることが他人にすぐに分ってしまうという不具合があった。このため、幼児、とくに自我が芽生え始め、羞恥心を持つ年頃の幼児がこのような紙おむつを着用することには抵抗があり、まして、このような紙おむつを着用して外出すること等には一層強い抵抗があった。なお、このような難点は幼児に限らず、例えば介護を要する大人であっても同様であり、このため、おむつではあるが見た目には下着に近い印象を与えるような使い捨ての紙おむつの出現が要望されていた。
【０００６】
本発明は、上記要望に応えるためになされたものであり、その目的とするところは、着用したまま外出しても決して恥ずかしさを感じさせない使い捨て紙おむつを提供することにある。
【課題を解決するための手段】
【０００７】
本発明の上記目的は、表面側を覆う透液性のトップシートと、裏面側を覆う不透液性のバックシートと、前記各シート間に配置された吸収体とから成る使い捨て紙おむつにおいて、前記紙おむつには腰周り部及び脚周り部を含む複数の部位に弾性伸縮部材が設けられ、かつ前記バックシートの少なくとも前記腰周り部及び／又は前記脚周り部の前記弾性伸縮部材により締め付けられる部分に、外部から認識できるカラーデザインが印刷されていることを特徴とする、請求項１に係るカラーデザインを有する使い捨て紙おむつによって達成される。
【０００８】
また、本発明の上記目的は、前記カラーデザインは、前記腰周り部及び／又は脚周り部の弾性伸縮部材により締め付けられる部分に複数配置され、かつシャーリングの周方向に沿って連続的に印刷されている線状のデザインを含むことを特徴とする、請求項２に係るカラーデザインを有する使い捨て紙おむつによってより効果的に達成される。
【０００９】
また、本発明の上記目的は、前記カラーデザインは、前記バックシートに対して市松模様又は格子状模様が形成されたデザインを含むことを特徴とする、請求項３に係るカラーデザインを有する使い捨て紙おむつによってより効果的に達成される。
【００１０】
また、本発明の上記目的は、前記カラーデザインは、前記バックシートに対して単一模様が格子状に点在分散して配置されたデザインを含むことを特徴とする、請求項４に係るカラーデザインを有する使い捨て紙おむつによってより効果的に達成される。
【００１１】
また、本発明の上記目的は、前記カラーデザインは、前記バックシートの裏面側全域に外部から認識できるように印刷され、かつ前記腰周り部及び／又は脚周り部の弾性伸縮部材により締め付けられる部分に対し模様が密となるように配置されたことを特徴とする、請求項５に係るカラーデザインを有する使い捨て紙おむつによってより効果的に達成される。
【００１２】
また、本発明の上記目的は、前記カラーデザインは、前記バックシートの被印刷面に対する着色印刷面の比率が２０パーセント以上に設定されていることを特徴とする、請求項６に係るカラーデザインを有する使い捨て紙おむつによってより効果的に達成される。
【００１３】
また、本発明の上記目的は、前記カラーデザインは、前記バックシートの被印刷面に対する着色印刷面の比率が５０パーセントに設定されていることを特徴とする、請求項７に係るカラーデザインを有する使い捨て紙おむつによってより効果的に達成される。
【００１４】
さらにまた、本発明の上記目的は、前記カラーデザインは、紙おむつ本体の両側部において該紙おむつの略全長に亘って表面側に突出するように形成された立体ギャザーにも印刷されていることを特徴とする、請求項８に係るカラーデザインを有する使い捨て紙おむつによってより効果的に達成される。
【発明の効果】
【００１５】
以下に詳述するように、本発明によれば、パンツ型及びテープ型の種別を問わず、使い捨ての紙おむつでありながら下着感覚で着用できるので、介護を要する大人はもとより、とくに自我が芽生え始め、羞恥心を持つ年頃の幼児であっても何ら抵抗なく着用することができ、安心して外出ができる。
【００１６】
また、使い捨て紙おむつの前身頃及び後身頃の全域にカラーのデザインが施されているので、例えば一種のショートパンツを想起させるような、ファッション性に富んだ使い捨て紙おむつということができる。
【００１７】
さらにまた、本体カバーシートでしっかり吸収体をガードした使い捨て紙おむつに構成すると、面倒なおむつカバーが不要となる利点がある。
【発明を実施するための最良の形態】
【００１８】
以下、本発明の実施の形態について図面を参照しながら詳述する。
【００１９】
図１は本発明の一実施形態に係るパンツ型の使い捨て紙おむつ（以下「本紙おむつ」という）を表面側、すなわち使用側から見た一部破断展開図、図２及び図３は夫々図１のＸ−Ｘ断面矢視図、Ｙ−Ｙ断面矢視図、図４は本紙おむつを裏面側から見た展開図、図５は本おむつの製品状態の斜視図である。なお、本おむつの基本構成は、本出願人の先の出願に係る特開２００１−１７８７７１公報に提案、開示されたものと実質的に同一なものである。よって、本おむつの細部の構成については説明を省略する。
【００２０】
これらの図において、１０は本紙おむつ本体、１１は透液性トップシート、１２は防水フィルム、１３は吸収体本体、１３Ａは上側吸収体、１３Ｂは下側吸収体、１３Ｃ、１３Ｄはクレープ紙、１４は脚周りの吸収体持上げ用弾性伸縮部材、２０は本体バックシート、２１は外面用バックシート不織布、２２は内面用バックシート不織布、２３、２４は腰周り弾性伸縮部材、２５は腹部弾性伸縮部材、２６は前身頃持上げ用弾性伸縮部材、２７は臀部弾性伸縮部材、３０はギャザーシート、３１は起立用弾性伸縮部材、４０はカラーデザイン印刷、そしてＢ１は立体ギャザーである。このように、本紙おむつには、複数の部位に弾性伸縮部材が設けられている。
【００２１】
図示されるように、本紙おむつは、不織布などから成る透液性トップシート１１と、ポリエチレン等から成る防水フィルム１２とにより、綿状バルプなどから成る吸収体本体１３を含む構造の紙おむつ本体１０の外面側に本体バックシート２０が一体的に設けられた構造の紙おむつである。
【００２２】
前記吸収体本体１３は、広い面積の砂時計状の上側吸収体１３Ａと、若干狭い面積の長方形状の下側吸収体１３Ｂとを備え、これらがクレープ紙１３Ｃ、１３Ｄによって囲まれ、全体として変形が可能な半剛性の性質を有するもので、前記上側吸収体１３Ａ及び下側吸収体１３Ｂの内部には粉状の高分子吸収ポリマーが含有されている。この吸収体本体１３の上面に対して、透液性トップシート１１が略全面においてホットメルト接着剤により固定され、吸収体本体１３の下面に対して防水フィルム１２が同じくホットメルト接着剤により固定され紙おむつ本体１０が構成されている。
【００２３】
一方、前記紙おむつ本体１０の表面両側にはギャザーシート３０、３０によって立体ギャザーＢ１、Ｂ１が設けられている。このギャザーシート３０としては極力透液性を低下させ、尿等の透過を防止すると共に、カブレを防止し、かつ肌への感触性を高めるために、撥水処理をした不織布が用いられている。
【００２４】
他方、前記防水フィルム１２は、紙おむつ本体１０の裏面全面を覆うようにして設けられている。この防水フィルム１２にはムレ防止の点から透湿性を有する材料が用いられている。
【００２５】
本体バックシート２０は、内面用バックシート不織布２２と外面用バックシート不織布２１とをホットメルト接着剤によって貼り合わせたもので、その前後端側部にフラップ部を形成するべく、前記紙おむつ本体１０よりも外形が大きく、全体として擬似砂時計形状を成している。
【００２６】
以上のとおり構成された紙おむつ本体１０及び本体バックシート２０は中央部から内側に折り込まれ、腰周り弾性伸縮部材２３、２４同志が重ね合わされた状態で本体バックシート２０の上下両端部が接着閉鎖され、図５に示されるようにパンツ型の紙おむつに形成される。
【００２７】
ここに、本紙おむつでは、図２及び図３に示すように、本体バックシート２０の外側、すなわち外面用バックシート不織布２１の表面の白地部分にグラビア印刷等の方式によりカラーデザイン印刷４０が施されている。このカラーデザイン印刷４０のデザインは、図４に示されるように、擬似砂時計状のバックシート不織布２１の全域に白色（地色）４０Ａと水色４０Ｂとを交互に配列して成る、いわゆる市松模様で構成されている。このように、本紙おむつでは、被印刷面、すなわち外面用バックシート不織布２１の裏面全域に対する印刷部分、すなわち水色４０Ｂに着色された部分の比率が５０パーセントに設定されている。なお、本紙おむつでは、腰周り弾性伸縮部材２３、２４及び脚周りの吸収体持上げ用弾性伸縮部材１４、１４にはもとより、とくに図示はされていないが、ギャザーシート３０の表面、少なくとも図２および図３に示される立体ギャザーＢ１の表面にも上記と同一のカラーデザイン印刷が施されている。
【００２８】
これにより、本紙おむつが図５に示されるように製品状態にされると、いわゆるシャーリング部に相当する腰周り弾性伸縮部材２３、２４の部分及び脚周りの吸収体持上げ用弾性伸縮部材１４、１４にもカラーデザイン印刷が施されていることから、この部分に装着されているゴム紐が印刷部分により隠蔽される。同様に、内部に装着されている吸収体本体１３の外形もこの印刷部分により隠蔽され、また吸収体本体１３の側部も立体ギャザーＢ１に施された印刷部分により隠蔽されるので、本紙おむつは、外見上、通常の下着と何ら変わりがないようになる。よって、本紙おむつによれば、下着感覚で着用することができ、安心して外出等をすることができる利点がある。
【００２９】
また、本紙おむつによれば、吸収体本体１０の外側が防水フィルム１２及び外面用バックシート不織布２１と内面用バックシート不織布２２とから成る本体バックシート２０によりしっかりガードされているので、おむつカバーを別に使用する必要がないという利点がある。
【００３０】
以上、本発明の内容を一実施形態に基づき説明したが、本発明は必ずしもこの実施形態に限られるものではなく、構成上種々の変更が可能である。
【００３１】
前記実施形態ではカラーデザインを外面用バックシート不織布２１の外面白地部分に印刷したが、この外面用バックシート不織布２１を透明ないし半透明とし、この内面に印刷するようにしてもよい。また、例えば図６に断面図で示すように、本体バックシート２０’を、透明ないし半透明の内面用バックシート不織布２２’と外面用バックシート不織布２１’とで構成し、この本体バックシート２０’と防水フィルム１２との間に予めカラーデザイン印刷を施したデザインシート５０を、その印刷面を本体バックシート２０’側に向けて配置し、外部からこのカラーデザインを認識できるようにすることも可能である。
【００３２】
また、本体バックシート２０を具備せず、バックシートが例えば防水フィルム１２だけで構成された使い捨て紙おむつであるような場合には、このカラーデザイン印刷４０を防水フィルム１２の裏面あるいは内面に施してもよく、さらにまた、前記デザインシートと前記本体バックシート２０’との両方に印刷を施し、両者を組合せて一つのカラーデザインを構成するようにすることも可能である。
【００３３】
本発明におけるカラーデザインとしては、前記市松模様に限らず、例えば略均等に配列した波形、水玉、雲形、星形、格子等の単一模様を連続して複数列に配置し、各模様に１色以上の適当なカラーを付して印刷するようにしてもよく、またこの単一模様を単一色で形成して地模様とし、これにキャラクター模様をカラー印刷したデザインとしてもよい。図７（ａ）（ｂ）（ｃ）はこれらのカラーデザインを例示したもので、（ａ）は白地６０Ａに縦線が赤色、横線が緑色で着色された格子状模様６０Ｂから成るカラーデザインを、（ｂ）は薄い水色の下地７０Ａに対し格子状に点在分散して配置され、黄色と紫色とで交互に着色された単一模様の星型模様７０Ｂから成るカラーデザインを、また、（ｃ）は黄色の白地８０Ａに青色で着色された波型８０Ｂで形成された地模様に、黒色に着色された水玉模様８０Ｃを組合せて成るカラーデザインを示したものである。なお、この印刷部分の占める比率、すなわち被印刷面に対する着色印刷面の比率は２０パーセント以上であることが望ましい。これは２０パーセント未満である場合には、依然として、使い捨て紙おむつの域を脱し得ない感があるからである。
【００３４】
とくに、このようなカラーデザインをシャーリング部分、すなわち腰周りや脚周りの弾性伸縮部材で締め付けられる部分に対して施す場合には、この部分が収縮されることを加味し、上述したような模様がこの部分に密となるように配置し、かつシャーリングの周方向に沿って印刷することが望ましい。このようにして印刷をすると、この部分にあるゴム紐等の弾性伸縮部材がこの印刷により一層隠蔽され、より一層下着に近付けることができる。
【００３５】
上述したようなカラーデザインを印刷する方法としては、グラビア印刷、フレキソ印刷、あるいはインクジェット印刷等、公知の印刷方法を適用することができる。
【００３６】
なお、前記実施の形態ではパンツ型の使い捨て紙おむつについて説明したが、これがテープ等の固定具でおむつを腰部に固定する、いわゆるテープ型の使い捨て紙おむつであっても同様な効果が得られることはいうまでもない。また、前記実施の形態では腹部弾性伸縮部材２５及び前身頃持上げ用弾性伸縮部材２６を有する使い捨て紙おむつを例示したが、本発明はこのような弾性伸縮部材を具備しない使い捨て紙おむつにも適用可能である。
【００３７】
なお、本発明に係るカラーデザイン印刷は、バックシートの外面に限らず、立体ギャザー部、腰周り弾性伸縮部材、あるいは脚周り弾性伸縮部材のみの印刷に適用することも十分可能である。このような場合にも、被印刷面に対する着色印刷面の比率は２０パーセント以上であることが望ましい。
【００３８】
本発明は、以上のとおり構成されているので、とくに腹部や背部にシャーリングがない脇部伸縮タイプのおむつと組合せると一層下着に近付けることができる。
【図面の簡単な説明】
【００３９】
【図１】本発明の一実施形態に係るパンツ型の使い捨て紙おむつを表面側から見た一部破断展開図である。
【図２】図１のＸ−Ｘ断面矢視図である。
【図３】図１のＹ−Ｙ断面矢視図である。
【図４】図１に示す本使い捨て紙おむつを裏面側から見た展開図である。
【図５】図１に示す本使い捨て紙おむつの製品状態の斜視図である。
【図６】本発明に係る使い捨て紙おむつの他の実施形態の断面図である。
【図７】（ａ）（ｂ）（ｃ）は本発明におけるカラーデザインの各種パターンを例示する図である。
【図８】従来のパンツ型使い捨て紙おむつの斜視図である。
【符号の説明】
【００４０】
１０            紙おむつ本体
１１            液透過性トップシート
１２            防水フィルム
１３            吸収体本体
２０、２０’    本体バックシート
２１、２１’    外面用バックシート不織布
２２、２２’    内面用バックシート不織布
２３、２４      腰周り弾性伸縮部材
３０            ギャザーシート
Ｂ１            立体ギャザー
４０            カラーデザイン印刷
５０            デザインシート
１００          従来のパンツ型使い捨て紙おむつ
１０３          前身頃
１０４          後身頃
１０６          図柄（デザイン）
１０７、１０８  弾性伸縮部材
１０９          シャーリング部
１１０          吸収体
【図１】
2008188445.tif 000003
【図２】
2008188445.tif 000004
【図３】
2008188445.tif 000005
【図４】
2008188445.tif 000006
【図５】
2008188445.tif 000007
【図６】
2008188445.tif 000008
【図７】
2008188445.tif 000009
【図８】
2008188445.tif 000010